【手続補正書】
【提出日】平成28年3月14日(2016.3.14)
【手続補正１】
【補正対象書類名】特許請求の範囲
【補正対象項目名】全文
【補正方法】変更
【補正の内容】
【特許請求の範囲】
【請求項１】
ｐＨ測定値を判定するためのシステムであって、
前記システム、少なくとも１つの使い捨てプローブを備え、
前記少なくとも１つの使い捨てプローブは、少なくとも２つの電極を備え、
前記少なくとも２つの電極のうちの第１の電極は、較正材料と継続して接触し、基準電極として機能し、
前記少なくとも２つの電極のうちの第２の電極は、試料と接触する前に較正のために前記較正材料と一時的に接触し、指示電極として機能する、システム。
【請求項２】
前記システムは、前記少なくとも１つの基準電極が基準溶液と接触するとき、および、前記少なくとも１つの指示電極が前記試料と接触するとき、前記少なくとも１つの指示電極および前記少なくとも１つの基準電極から受信された信号に基づいて、試料溶液の測定値に基づくｐＨ情報を提供するように構築および配列されており、前記測定値は、電位差測定値、電流測定測定値、および抵抗測定値から成る群から選択される、請求項１に記載のシステム。
【請求項３】
前記較正材料は、基準溶液である、請求項１に記載のシステム。
【請求項４】
前記少なくとも１つの使い捨てプローブは、複数の異なる試料に対する個々のｐＨ測定値を提供するように構築および配列されている、請求項１に記載のシステム。
【請求項５】
前記使い捨てプローブは、穿刺可能アクセスポートを備える、請求項１〜４のいずれかに記載のシステム。
【請求項６】
前記少なくとも２つの電極は、酸化イリジウム、ドープされた酸化ケイ素等の酸化ケイ素、銀／塩化銀、およびそれらの組み合わせから成る群から選択される材料から構築される、請求項１に記載のシステム。
【請求項７】
誤差検出機能を提供するようにさらに構成されている、請求項１に記載のシステム。
【請求項８】
単一点較正手技を提供するようにさらに構成されている、請求項１に記載のシステム。
【請求項９】
複数の点較正手技を提供するようにさらに構成されている、請求項１に記載のシステム。
【請求項１０】
自己診断機能を提供するようにさらに構成されている、請求項１に記載のシステム。
【請求項１１】
少なくとも前記少なくとも１つの指示電極を囲繞する可撤性カバーをさらに備える、請求項１〜１０のいずれかに記載のシステム。
【請求項１２】
ｐＨ測定値を判定する方法であって、前記方法は、
システムにｐＨ測定値を提供することであって、前記システムは、
少なくとも１つの使い捨てプローブを備え、
前記少なくとも１つの使い捨てプローブは、少なくとも２つの電極を備え、
前記少なくとも２つの電極のうちの第１の電極は、較正材料と継続して接触し、基準電極として機能し、
前記少なくとも２つの電極のうちの第２の電極は、試料と接触する前に較正のために前記較正材料と一時的に接触し、指示電極として機能する、ことと、
前記使い捨てプローブを読取機内に挿入することと、
前記試料を前記指示電極と接触させることと
を含む、方法。
【請求項１３】
図面を参照して記載されているｐＨ測定システム。
【請求項１４】
前記較正材料は、基準溶液である、請求項１２に記載の方法。
【手続補正２】
【補正対象書類名】明細書
【補正対象項目名】００４７
【補正方法】変更
【補正の内容】
【００４７】
本明細書において説明する技術は、その属性および付随する利点とともに、添付の図面と関連して行われる以下の詳細な説明を考慮することによって、最も良く理解されよう。なお、添付の図面には、代表的な実施形態が例示として記載されている。
本願明細書は、例えば、以下の項目も提供する。
（項目１）
ｐＨ測定値を判定するためのシステムであって、
使い捨てプローブであって、
少なくとも１つの指示電極と、
少なくとも１つの基準電極と、
を備える、使い捨てプローブと、
前記使い捨てプローブと動作可能に係合し、試料のｐＨ情報を提供するように構成された読取機と、
を備え、
前記システムは、自己較正するように構築および配列されている、システム。
（項目２）
前記システムは、前記少なくとも１つの基準電極が基準溶液と接触するとき、および、前記少なくとも１つの指示電極が前記試料と接触するとき、前記少なくとも１つの指示電極および前記少なくとも１つの基準電極から受信された信号に基づいて、前記試料溶液の電位差測定値に基づくｐＨ情報を提供するように構築および配列されている、項目１に記載のシステム。
（項目３）
前記システムは、前記少なくとも１つの基準電極が基準溶液と接触するとき、および、前記少なくとも１つの指示電極が前記試料と接触するとき、前記少なくとも１つの指示電極および前記少なくとも１つの基準電極から受信された信号に基づいて、前記試料溶液の電流測定測定値に基づくｐＨ情報を提供するように構築および配列されている、項目１〜２のいずれかに記載のシステム。
（項目４）
前記システムは、前記少なくとも１つの基準電極が基準溶液と接触するとき、および、前記少なくとも１つの指示電極が前記試料と接触するとき、前記少なくとも１つの指示電極および前記少なくとも１つの基準電極から受信された信号に基づいて、前記試料溶液の抵抗測定値に基づくｐＨ情報を提供するように構築および配列されている、項目１〜３のいずれかに記載のシステム。
（項目５）
前記システムはさらに、前記使い捨てプローブを格納するように構築および配列された格納アセンブリを備える、項目１〜４のいずれかに記載のシステム。
（項目６）
前記システムはさらに、少なくとも第２の使い捨てプローブを備え、前記格納アセンブリはさらに、前記少なくとも第２の使い捨てプローブを格納するように構築および配列されている、項目５に記載のシステム。
（項目７）
第２の使い捨てプローブをさらに備える、項目１〜６のいずれかに記載のシステム。
（項目８）
前記使い捨てプローブは、複数の異なる試料に対する個々のｐＨ測定値を提供するように構築および配列されている、項目１〜７のいずれかに記載のシステム。
（項目９）
前記使い捨てプローブは、穿刺可能アクセスポートを備える、項目１〜８のいずれかに記載のシステム。
（項目１０）
前記使い捨てプローブは、近位部分および少なくとも２つの着脱可能遠位部分を備える、項目１〜９のいずれかに記載のシステム。
（項目１１）
前記近位部分は、リザーバを備える、項目１０に記載のシステム。
（項目１２）
前記使い捨てプローブは、前記使い捨てプローブ内に含有される２つの流体の混合を最小限にするように構築および配列されている、項目１〜１１のいずれかに記載のシステム。
（項目１３）
前記少なくとも１つの指示電極は、酸化イリジウム、ドープされた酸化ケイ素等の酸化ケイ素、およびそれらの組み合わせから成る群から選択される材料から構築される、項目１〜１２のいずれかに記載のシステム。
（項目１４）
前記少なくとも１つの基準電極は、酸化イリジウム、ドープされた酸化ケイ素等の酸化ケイ素、銀／塩化銀、およびそれらの組み合わせから成る群から選択される材料から構築される、項目１〜１３のいずれかに記載のシステム。
（項目１５）
流体チャネルをさらに備える、前記システムは、前記流体チャネルの少なくとも一部を通して、基準溶液を輸送するように構築および配列されている、項目１〜１４のいずれかに記載のシステム。
（項目１６）
前記流体チャネルは、前記流体チャネル内に積層流を維持するように構築および配列されている、項目１５に記載のシステム。
（項目１７）
前記流体チャネルを動作可能に閉塞するように位置付けられた弁をさらに備える、項目１５に記載のシステム。
（項目１８）
前記流体チャネル内に位置付けられた浸透膜をさらに備える、項目１５に記載のシステム。
（項目１９）
液界をさらに備える、項目１〜１８のいずれかに記載のシステム。
（項目２０）
流体リザーバをさらに備える、項目１〜１９のいずれかに記載のシステム。
（項目２１）
圧送要素をさらに備える、項目１〜２０のいずれかに記載のシステム。
（項目２２）
前記圧送要素は、注射器ポンプ、容積型ポンプ、空気圧ポンプ、エレクトロウェッティング機構、注射器、ピペット、マイクロピペット、流体を送達するために破壊および／または圧縮されるように構成されたチャンバ、プランジャ駆動機構、回転または線形蠕動駆動、磁気流体力学駆動、およびそれらの組み合わせから成る群から選択される構成要素を備える、項目２１に記載のシステム。
（項目２３）
誤差検出アルゴリズムをさらに備える、項目１〜２２のいずれかに記載のシステム。
（項目２４）
前記読取機は、ハンドヘルド読取機、ベンチトップ読取機、高処理量流体試験および／または測定システム、およびそれらの組み合わせから成る群から選択される構成要素を備える、項目１〜２３のいずれかに記載のシステム。
（項目２５）
前記読取機は、システム準備情報、バッテリレベル情報等の電力レベル情報、アラートまたはアラーム条件情報、前記センサの残り使用回数および／または残り寿命等の使い捨てプローブのステータス、較正情報、およびそれらの組み合わせから成る群から選択される情報を提供するように構築および配列されている、項目１〜２４のいずれかに記載のシステム。
（項目２６）
前記システムは、較正動作を行うように構築および配列されている、項目１〜２５のいずれかに記載のシステム。
（項目２７）
前記システムは、単一点較正手技を備える、項目１〜２６のいずれかに記載のシステム。
（項目２８）
前記システムは、複数の点較正手技を備える、項目１〜２７のいずれかに記載のシステム。
（項目２９）
少なくとも１つの基準溶液をさらに備える、項目１〜２８のいずれかに記載のシステム。
（項目３０）
自己診断機能をさらに備える、項目１〜２９のいずれかに記載のシステム。
（項目３１）
少なくとも前記少なくとも１つの指示電極を囲繞する可撤性カバーをさらに備える、項目１〜３０のいずれかに記載のシステム。
（項目３２）
ｐＨ測定値を判定する方法であって、
システムにｐＨ測定値を提供することであって、前記システムは、
使い捨てプローブであって
少なくとも１つの指示電極と、
少なくとも１つの基準電極と
を備える、使い捨てプローブと、
前記使い捨てプローブと動作可能に係合し、試料のｐＨ情報を提供するように構成された読取機と、
を備え、前記システムは、自己較正するように構築および配列されている、ことと、
前記使い捨てプローブを前記読取機内に挿入することと、
前記試料を前記少なくとも１つの指示電極と接触させることと
を含む、方法。
（項目３３）
図面を参照して説明される、ｐＨ測定システム。
（項目３４）
図面を参照して説明される、ｐＨを判定する方法。